(57)【要約】【課題】雰囲気汚染を回避しながらも、コンパクトなダイレクトドライブモータを提供する。【解決手段】ステータ２９と、大気用軸受３３と、内側ロータ３０と、検出器であるレゾルバ（３４ａ、３４ｂ、３５，３６）が、ダイレクトドライブモータＤＤの軸線方向において互いに少なくとも一部が重合する位置に配置されているので、ダイレクトドライブモータＤＤの軸線方向長を小さく抑えることができる。【選択図】図１
2008167589.tif 000002
【特許請求の範囲】
【請求項１】
大気外の雰囲気中で用いられるダイレクトドライブモータにおいて、
ハウジングと、
前記ハウジングから延在し、大気側と大気外側を隔絶する隔壁と、
前記ハウジングと前記隔壁とを密封するシール部材と、
前記隔壁に対して大気外側に配置された外側ロータと、
前記ハウジングに対して前記外側ロータを回転自在に支持する特殊環境用軸受装置と、
前記隔壁に対して大気側に配置されたステータと、
前記隔壁に対して大気側に配置され、前記外側ロータと共に連れ回る内側ロータと、
前記ハウジングに対して前記内側ロータを回転自在に支持する大気用軸受装置と、
前記内側ロータの回転位置を検出する検出器と、を有しており、
前記ステータと、前記大気用軸受装置と、前記内側ロータと、前記検出器は、前記ダイレクトドライブモータの軸線方向において互いに少なくとも一部が重合する位置に配置されていることを特徴とするダイレクトドライブモータ。
【請求項２】
前記ダイレクトドライブモータの半径方向において、外周側から順に、前記隔壁と、前記ステータと、前記大気側軸受装置と、前記内側ロータと、前記検出器の並びで配置されたことを特徴する請求項１に記載のダイレクトドライブモータ。
【請求項３】
前記外側ロータは、前記ハウジングに対し分離可能な軸受ホルダを介して、前記特殊環境用軸受装置により支持されていることを特徴する請求項１又は２に記載のダイレクトドライブモータ。
【請求項４】
前記特殊環境軸受装置は多点接触ころがり軸受であることを特徴とする請求項１〜３のいずれかに記載のダイレクトドライブモータ。
【請求項５】
前記内側ロータは、前記特殊環境用軸受装置とは別の軸受装置によって回転自在に支持され、かつ前記外側ロータに取り付けられた磁極または突極に対して半径方向に対向する磁極または突極を有しており、両磁極の磁気吸引力により前記外側ロータと前記内側ロータとが連れ回ることによって、隔壁越しにモータ回転子の角度を検出することを特徴とする請求項１〜４のいずれかに記載のダイレクトドライブモータ。
【請求項６】
前記検出器は、絶対角度を検出するアブソリュートレゾルバと、高分解能で相対角度を検出するインクリメンタルレゾルバと、を有することを特徴とする請求項１〜５のいずれかに記載のダイレクトドライブモータ。
【発明の詳細な説明】
【技術分野】
【０００１】
本発明は、大気外の雰囲気例えば真空中で用いられる複数のダイレクトドライブモータに関する。
【背景技術】
【０００２】
例えば半導体製造装置等においては、不純物を極力排除するために真空槽内の超高真空雰囲気中で被加工物に対する加工作業が行われる。その場合に使用されるアクチュエータとして、例えば被加工物位置決め装置の駆動モータにあっては、駆動軸の軸受に一般的なグリースなどのように揮発成分を含有する潤滑剤を用いることはできないから、金や銀などの軟質金属を軸受の内外輪にプレーティングすることで潤滑性を高めている。また、駆動モータのコイル絶縁材、配線被覆材及び積層磁極の接着剤なども、耐熱性に優れ放出ガスの少ない安定した材料が選定されるという実情がある。
【０００３】
他方、超高真空槽内へ外部から回転出力を導入する手段として、従来、べローズ式駆動方式を始め、磁気結合駆動方式、磁性流体シール駆動方式等の各種のアクチュエータが知られている。これらのアクチュエータはいずれも、真空用軸受に支承された回転軸の出力端側が真空雰囲気中に突出され、大気中におかれた駆動装置により入力端側に回転力が付与される構造である。すなわち、べローズ式駆動方式では、回転軸の出力端側は真空軸受に支承されて真空側内に突出され、他端側は斜板形式の首振り機構を大気中に配した回転装置で回転駆動すると、べローズが伸縮運動を繰り返しつつ回転軸が回転する仕組みである。
【０００４】
これに対して、磁気結合型駆動方式は、回転軸の入力端側に磁性体からなる回転子が固着され、この回転子の外周はハウジングで囲んで密閉されている。そのハウジングを隔てて大気側に、回転子を取り巻くマグネットが配設され、これを回転駆動することにより回転軸が回転する仕組みである。
【０００５】
また、磁性流体シール駆動方式は、大気側と真空側との間の隔壁を貫通して非磁性体からなるハウジングを取り付け、そのハウジング内に配した軸受間に永久磁石を挟んだ円輪状のポールピースを設けると共に、ハウジングを貫通させた回転軸の外周面とこれに対向するポールピース内周面との間の隙間を磁性流体で密封した構造を備えている。
【０００６】
特に近年、半導体の集積度が高まり、それに伴って同時にＩＣのパターン幅の微細化による高密度化が進められている。この微細化に対応できるウエハを製造するために、ウエハ品質に対する高度の均一性が要求されている。その要求に応えるためには、ウエハの低圧ガス処理室における不純物ガス濃度の一層の低減が重要である。また、要求通りに微細加工を行うためには、極めて高精度の位置決め装置が必要である。こうした見地から上記従来のアクチュエータを検討すると、以下のような種々の問題点が指摘される。
【０００７】
すなわち、超真空雰囲気を備えた真空槽内で用いる駆動モータの場合、たとえ駆動モータのコイル絶縁材や配線被覆等に、耐熱性に優れ放出ガスの少ない安定した材料が選定されても、それが有機系の絶縁材料である限り、ミクロ的には多孔質であって表面には無数の穴を有している。これを一旦大気にさらすと、その表面の穴にガスや水分子等を取り込んで吸蔵してしまう。それらの吸蔵不純分子を真空排気で除去する脱ガスに長時間を要してしまい、生産効率の低下は避けがたい。さらには、真空中においては空気の対流による放熱があり得ないから、コイル温度の局部的な上昇を生じた場合に、その部分の抵抗が増大して発熱が加速され、コイル絶縁皮膜の焼損を招き易い。これに対して、コイル絶縁材に無機材料を用いると共に、配線はステンレス管のシース電線を用いることで吸着不純分子を低減することが考えられる。しかしその場合はコストが非常に高くなるのみならず、コイル巻線スぺース内に占める銅などの導体の比率が減少して電気抵抗が増加し、その結果、モータの容量低下を来す恐れがある。
【０００８】
以上のような超高真空装置内にアクチュエータを設置した場合の問題点に対して、磁気結合型駆動方式、磁性流体シール駆動方式等のように真空装置外にアクチュエータの駆動部を設けた場合と比較すると、べローズ式駆動方式ではバックラッシが大きく、磁石吸引力により回転力を伝達する磁気結合型駆動方式では剛性が低く、いずれも高精度の位置決め精度が得られないという問題点がある。また、磁性流体シール駆動方式では、磁性流体の耐熱温度が低いことから、超高真空槽のべークアウト工程（真空槽内壁等の吸蔵ガス分子、水分子の放出工程）における加熱温度に耐え得ず、多少の揮発成分を含んでいるため放出ガスが発生してしまうという問題点がある。
【０００９】
そこで本出願人は、このような従来のアクチュエータの問題点を解決するべく、超高真空の雰囲気中で不純物ガスの放出がなく、且つ高精度の位置決めが可能な密閉型アクチュエータを提案した（特許文献１，２参照）。かかる技術によれば、回転駆動用コイルによって励磁される回転駆動用磁極が形成されたモータステータと、そのモータステータの磁極面に対して僅かの隙間を隔てて面対向に配設された磁極を有し、且つ転がり軸受を介して回転自在に支承されたモータロータと、そのモータロータの変位を測定する変位検出手段であるレゾルバを備え、モータステータとモータロータとの間の隙間に非磁性金属隔壁を配してモータステータの配設された内部空間を気密に覆うことにより、モータロータ側空間とは離隔した構成を備えている。
【００１０】
このように、本出願人が提案した上記密閉型アクチュエータは、モータステータとモータロータとを非磁性金属隔壁で離隔したことにより、半導体製造装置の高真空雰囲気内や反応性ガス雰囲気中で使用しても、アクチュエータのコイルや有機絶縁材から不純ガスが放出されて雰囲気を汚染したり或いはコイルや有機絶縁材が浸食されることがなく、しかも、モータステータとモータロータ間で磁気回路の形成が妨げられることもなく、さらにはレゾルバにより高精度の位置決めも実現できるなど、実用上極めて有用である。
【特許文献１】特開平３−１５００４１号公報
【特許文献２】特開平３−１５００４２号公報
【特許文献３】特開２００６−１０９６５４号公報
【発明の開示】
【発明が解決しようとする課題】
【００１１】
ところが、特許文献１，２のモータは、軸線方向長が大きいため、内部が真空雰囲気のチャンバに収容する場合、チャンバの寸法を大きくしなくてはならず、大容量の真空ポンプなどが必要となり、コスト高を招くという問題がある。一方、特許文献３には、薄形のダイレクトドライブモータが開示されているが、更にコンパクトなダイレクトドライブモータが望まれている。
【００１２】
本発明は、かかる従来技術の問題点に鑑みてなされたものであり、雰囲気汚染を回避しながらも、コンパクトなダイレクトドライブモータを提供することを目的とする。
【課題を解決するための手段】
【００１３】
本発明のダイレクトドライブモータは、大気外の雰囲気中で用いられるダイレクトドライブモータにおいて、
ハウジングと、
前記ハウジングから延在し、大気側と大気外側を隔絶する隔壁と、
前記ハウジングと前記隔壁とを密封するシール部材と、
前記隔壁に対して大気外側に配置された外側ロータと、
前記ハウジングに対して前記外側ロータを回転自在に支持する特殊環境用軸受装置と、
前記隔壁に対して大気側に配置されたステータと、
前記隔壁に対して大気側に配置され、前記外側ロータと共に連れ回る内側ロータと、
前記ハウジングに対して前記内側ロータを回転自在に支持する大気用軸受装置と、
前記内側ロータの回転位置を検出する検出器と、を有しており、
前記ステータと、前記大気用軸受装置と、前記内側ロータと、前記検出器は、前記ダイレクトドライブモータの軸線方向において互いに少なくとも一部が重合する位置に配置されていることを特徴とする。
【発明の効果】
【００１４】
本発明のダイレクトドライブモータによれば、前記ステータと、前記大気用軸受装置と、前記内側ロータと、前記検出器が、前記ダイレクトドライブモータの軸線方向において互いに少なくとも一部が重合する位置に配置されているので、ダイレクトドライブモータの軸線方向長を小さく抑えることができる。又、前記隔壁および前記シール部材を破壊、分解することなく、前記外側ロータ、前記特殊環境用軸受装置を軸方向に着脱でき、軸受交換などのメンテナンスができるので、メンテナンス性及びダイレクトドライブモータが組みつけられる装置の稼動率が向上する。
【００１５】
前記ダイレクトドライブモータの半径方向において、外周側から順に、前記隔壁と、前記ステータと、前記大気側軸受装置と、前記内側ロータと、前記検出器の並びで配置されていると好ましい。
【００１６】
前記外側ロータは、前記ハウジングに対し分離可能な軸受ホルダを介して、前記特殊環境用軸受装置により支持されていると好ましい。
【００１７】
前記特殊環境軸受装置は多点接触ころがり軸受であると、モータの剛性を向上することができる。
【００１８】
前記内側ロータは、前記特殊環境用軸受装置とは別の軸受装置によって回転自在に支持され、かつ前記外側ロータに取り付けられた磁極または突極（例えば永久磁石）に対して半径方向に対向する磁極または突極を有しており、両磁極の磁気吸引力により前記外側ロータと前記内側ロータとが連れ回ることによって、隔壁越しにモータ回転子の角度を検出すると好ましい。これにより大気外である特殊雰囲気中の前記外側ロータの位置検出が大気側に配置された前記内側ロータに、前記隔壁を挟んで正確に伝達され、前記内側ロータの位置検出を同じく大気中に配置された回転位置の検出器で検出できる。そのため、特殊雰囲気として例えば真空中の部材は、ロータ、磁石、軸受等の金属材料のみとなるため、真空中の温度上昇の影響を受けにくい。また、前記検出器は、一般に光学式エンコーダや、レゾルバなどを使用するが、これらの発光素子や、レゾルバ検出器などの巻き線の絶縁材や配線材料から発生する放出ガスの真空中への拡散を抑制できる。また、真空中に検出器を配置した場合に必要となる電気配線を大気中に接続するための真空−大気間の電気的な導入端子が不要となる。
【００１９】
前記検出器は、絶対角度を検出するアブソリュートレゾルバと、高分解能で相対角度を検出するインクリメンタルレゾルバと、を有すると好ましい。ダイレクトドライブモータの電源を投入した当初は、大気外に配置した外側ロータがどの角度にあるか不明であると、大気外側の位置決めはできない。また、大気外で原点復帰センサを配置すると、このセンサからの放出ガスが特殊雰囲気を破壊する恐れがある。本発明の検出器のように、大気外の外側ロータの回転位置を、磁気カップリングを介して大気側の内側ロータに伝達し、その絶対角度をアブソリュート回転位置検出器で検出することにより、特殊雰囲気を破壊せずに外側ロータの絶対角度が検出でき、電源投入時の原点復帰が不要になる。さらに、例えば、前記ダイレクトドライブモータのような３相モータを駆動するためには、位相が１２０度ずらした３相交流でモータを駆動するための電流波形が必要となるが、この駆動波形を決めるための、回転位置情報を、アブソリュート回転位置検出器の絶対角度により算出できる。
【発明を実施するための最良の形態】
【００２０】
以下、本発明の実施の形態を図面を参照して説明する。本実施の形態は、表面磁石型の３２極３６スロットアウターロータ式ブラシレスタイプのダイレクトドライブモータを用いる。３２極３６スロットというスロットコンビネーションは、コギング力は小さいが径方向に磁気吸引力が発生し回転時の振動は大きいことが一般的に知られている８極９スロットというスロットコンビネーションの４倍の構成である。２n倍（ｎは整数）にしたことにより、径方向の磁気吸引力は相殺されるので、固定子と回転子の真円度や同軸度および機構部品の剛性を高めることなく回転時の振動を小さくでき、かつ、本来的にコギングが小さい構成であるので、非常に滑らかな回転が得られる。一方、このような非常に多極なモータとすることにより、機械角の周期に対する電気角の周期が多いので、位置決め制御性が良い。よって、本発明の如く、減速器を用いずにロボット装置を駆動するようなダイレクトドライブモータには好適である。また、総磁束量を下げることなく固定子連結部の肉厚と突極幅、および回転子のヨーク肉厚を狭くできるので、本発明の如く、薄型かつ大径幅狭のダイレクトドライブモータには好適である。
【００２１】
図１は、本実施の形態にかかるダイレクトドライブモータの断面図である。図１を参照して、ダイレクトドライブモータＤＤの内部構造について詳細に説明する。定盤Ｇに据え付けた円板１０ａと、その中央の円筒部１０ｂとからなるハウジング１０は、円筒部１０ｂ内に、ステータへの配線などを通すために用いることができる中央開口１０ｃを形成している。
【００２２】
このような構造とすることで、ハウジング１０の円筒部１０ｂ側から半径方向外方に向かって順に、検出器（レゾルバ）、ステータ２９を配置することが可能となり、容易にステータ２９に対する検出器の角度調整が行える。そこで、基準となるモータロータを回転駆動する設備を別に用意しておけば、その設備にステータ２９と検出器を組み込んだハウジング１０をセットすることにより、高精度にステータ２９に対する検出器の角度調整ができるので、コンミテーションずれによる角度位置決め精度の低下を防ぎ、かつ、モータに対する駆動制御回路の互換性を高めることができる。検出器については後述する。
【００２３】
隔壁１３は、非磁性体であるステンレス製であり、ハウジング１０の円板１０ａの上面に嵌合される肉厚のフランジ底部１３ａと、その内周縁から軸線方向に延在する薄肉のカップ状円筒部１３ｂとからなる。フランジ底部１３ａは、ハウジング１０にボルト（不図示）により固定されている。フランジ底部１３ａの下面には、シール部材を填め込む溝加工が施してあり、シール部材ＯＲを溝に填め込んだ後にフランジ底部１３ａとハウジング１０をボルトにより締結することにより、締結部分を大気側から分離隔絶している。従って、ハウジング１０と、隔壁１３とで囲われる内部空間は、その外部から気密されている。尚、シール部材ＯＲを用いて気密する代わりに、電子ビーム溶接やレーザビーム溶接などで部材間を気密してもも良い。又、隔壁１３は必ずしも非磁性体である必要はないが、ここでは耐食性が高く、特に磁性の少ないオーステナイト系ステンレスのＳＵＳ３１６を材料としている。尚、フランジ底部１３ａを、カップ状円筒部１３ｂと溶接する場合、溶接性から両者は同じくＳＵＳ３１６とするのがよい。
【００２４】
円板１０ａの外周上面において、隔壁１３の外側に、円筒状の軸受ホルダ１７がボルト１８により固定されている。軸受ホルダ１７には、真空中で用いられる複列玉軸受（特殊環境用軸受装置）１９の外輪が嵌合的に取り付けられ、ボルト１８により共締めされている。一方、軸受１９の内輪は、円筒状のロータヨーク２１の外周に嵌合している。
【００２５】
軸受１９は、ラジアル、アキシアル、モーメント荷重を１個の軸受で負荷できる複列の多点接触玉軸受である。この形式の軸受を用いることにより、ダイレクトドライブモータＤ１の軸受は１個で済むため、本発明の２軸同軸モータシステムを薄型化できる。軸受１９は、内外輪とも耐食性が高くかつ焼入れによる硬化が得られるマルテンサイト系ステンレスを材料とし。転動体はセラミックボール、潤滑剤は真空であっても固化しない真空用のグリスを用いている。
【００２６】
尚、軸受１９は内輪と外輪に金や銀などの軟質金属をプレーティングして、真空中でもアウトガス放出のない金属潤滑としたものを用いてもよく、クロスローラ、クロスボール、クロステーパ軸受も用いることができ、予圧状態で用いても良いし、潤滑性向上のためフッ素系被膜処理（ＤＦＯ）を行っても良い。
【００２７】
外側ロータ２３は、円筒部２３ａと、その上縁から半径方向に延在するフランジ部２３ｂとを有し、フランジ底部２３ｂの下面には嵌合部２３ｃが形成されている。嵌合部２３ｃはロータヨーク２１に対してインロー嵌めされ位置決め固定されている。
【００２８】
モータロータＭＲは、外側ロータ２３と、磁路を形成するため磁性体から成る円環状のロータヨーク２１、ロータヨーク２１の内周面に取り付けられた永久磁石２２と、永久磁石２２とロータヨーク２１をボルトＢで機械的に締結するための非磁性体からなるくさび（不図示）によって構成されている。永久磁石２２は、３２極の構成でＮ極、Ｓ極の磁石が各１６個交互に磁性金属からなり、極ごとに分割されたセグメント形式であり、その個々の形状は扇形である。内径と外径の円弧中心は同一であるが、円周方向端面の接線交点を永久磁石２２寄りとすることで、くさびをロータヨーク２１外径側からねじで締め上げることにより永久磁石２２をロータヨーク２１に締結している。このような構成とすることにより、接着剤など、アウトガスを発生する固定部材を用いることなく永久磁石を締結できる。永久磁石２２はエネルギー積の高いネオジウム（Ｎｄ−Ｆｅ−Ｂ）系磁石であり、耐食性を高めるためにニッケルコーティングを施してある。ロータヨーク２１は高い磁性を有する低炭素鋼を材料とし、加工成型後に、防錆および耐食性を高め、かつ軸受交換時の磨耗を防ぐためにニッケルめっきを施している。
【００２９】
隔壁１３の半径方向内側において、外側ロータ２３の内周面に対向するようにして、ステータ２９が配置されている。ステータ２９は、円板１０ａの上面の環状取り付け部１０ｄに不図示のボルトで固定されており、電磁鋼板の積層材で形成され、各突極には絶縁処理としてボビンを嵌め込んだ後にモータコイルが集中巻されている。ステータ２９の外径は隔壁１３の内径と略同一もしくは小さい寸法としている。
【００３０】
ステータ２９と同軸であって、その上方に、磁路を形成するための磁性体から成る円環状のカップリングヨーク２５が配置され、その外周にはカップリング磁石２６が固定配置されている。カップリング磁石２６は、外側ロータ２１の永久磁石２２と同様に３２極の構成でＮ極、Ｓ極の磁石が各１６個交互に磁性金属からなっている。従って、カップリングヨーク２５は、ステータ２９によって駆動される外側ロータ２１に同期して連れ回されるようになっている。
【００３１】
カップリングヨーク２５の内周側下面は、円筒状の内側ロータ３０の上端に取り付けられている。カップリングヨーク２５と一体的に回転する内側ロータ３０は、円板１０ａの環状取り付け部１０ｄに対し、大気側軸受３３により回転自在に支持されている。
【００３２】
内側ロータ３０を回転自在に支持する大気側軸受３３は、ラジアル、アキシアル、モーメント荷重を１個の軸受で負荷できる４点接触玉軸受である。この形式の軸受を用いることにより、１個の軸受で済むため、ダイレクトドライブモータＤＤを薄型化できる。隔壁１３の内部は大気環境であるため、一般的な軸受鋼と鉱油を基油としたグリス潤滑を用いた軸受を適用できる。
【００３３】
隔壁１３内部は大気環境であるため、カップリング磁石２６はカップリングヨーク２５に接着固定してある。カップリング磁石２６はエネルギー積の高いネオジウム（Ｎｄ−Ｆｅ−Ｂ）系磁石であり、錆による減磁を防ぐためにニッケルコーティングを施してある。カップリングヨーク２５は高い磁性を有する低炭素鋼を材料とし、加工成形後に防錆のためにクロメートめっきを施している。カップリング磁石２６と、カップリングヨーク２５とで検出器カップリングを構成する。
【００３４】
内側ロータ３０の内周には、回転角度を計測する検出器として、レゾルバロータ３４ａ及び３４ｂを組みつけており、それに対向する形で、ハウジング１０の円筒部１０ｂの外周に、レゾルバステータ３５，３６を取り付けているが、本実施の形態では、高分解能のインクリメンタルレゾルバステータ３５と、１回転のいずれの位置にロータがあるかを検出できるアブソリュートレゾルバステータ３６とを２層に配置しており、アブソリュートレゾルバからの絶対角度情報に基づき、電源投入直後の回転子機械角の認識と、モータコイルへのコンミテーションを行っている。このため電源投入時にも、アブソリュートレゾルバロータ３４ｂの回転角度がわかり、原点復帰が不要であり、一方、インクリメンタルレゾルバからの相対角度情報に基づき、高分解能の角度位置決め動作を行っているので、コイルに対する磁石の電気的位相角度がわかる。従って、ダイレクトドライブモータＤＤの駆動電流制御に使用する回転角度検出が、極検出センサを用いることなく可能となっているので、ロボット装置等を駆動するようなダイレクトドライブモータには好適である。
【００３５】
検出器の回転側と軸受装置の回転側および検出器カップリングとを連結する内側ロータ３０は、モータの界磁およびモータコイルからの電磁ノイズが角度検出器であるレゾルバステータ３５，３６に伝達されないように、磁性体である炭素鋼を材料とし、加工成型後に防錆のためにクロメートめっきを施している。
【００３６】
本実施の形態に用いている高分解能の可変リラクタンス形レゾルバにおいて、インクリメンタルレゾルバロータ３４ａは、一定のピッチを有する複数のスロツト歯列を有し、インクリメンタルレゾルバステータ３５の外周面には、回転軸と平行に各磁極でインクリメンタルレゾルバロータ３４ａに対して位相をずらした歯が設けられており、コイルが各磁極に巻回されている。内側ロータ３０と一体でインクリメンタルレゾルバロータ３４ａが回転すると、インクリメンタルレゾルバステータ３５の磁極との間のリラクタンスが変化し、インクリメンタルレゾルバロータ３４ａの１回転でリラクタンス変化の基本波成分がｎ周期となるようにして、そのリラクタンス変化を検出して、図２に例を示すレゾルバ制御回路によりデジタル化し、位置信号として利用することでインクリメンタルレゾルバロータ３４ａ即ち第１内側ロータ３０の回転角度（又は回転速度）を検出するようになっている。レゾルバロータ３４ａ、３４ｂと、レゾルバステータ３５，３６とで検出器を構成する。
【００３７】
本実施の形態によれば、外側ロータ２１に対して、磁気カップリング作用により内側ロータ３０が同速で回転し、すなわち連れ回るので、外側ロータ２１の回転角を隔壁１３越しに検出することができる。また、本実施の形態では、モータを形成する部品やハウジングを用いることなくレゾルバ単体で軸受３３を有しており、従ってハウジングに組み込む前に、レゾルバ単体での偏芯調整やレゾルバコイルの位置調整などの精度調整が行えるので、ハウジング等に調整用の穴や切り欠きを別途設ける必要がない。又、外側ロータ２１と回転自在に支持する軸受装置１９の回転輪を、加工精度が出しやすくかつ線膨張係数が軸受装置１９の駆動輪と略同一であるロータヨーク２１に嵌合することで、回転精度の向上と温度変化による摩擦トルクの変動防止を図ることができる。
【００３８】
更に、隔壁１３の内側には、ステータ２９と、検出器であるレゾルバ（３４ａ、３４ｂ、３５，３６）と、検出器の回転側（内側ロータ３０）を回転自在に支持する大気側軸受３３と、モータロータＭＲと検出器の回転側とを連れ回すための検出器カップリング（２５，２６）と、レゾルバロータ３４ａ、３４ｂと角度検出器カップリングとを連結する内側ロータ３０を配設している。
【００３９】
本実施の形態によれば、ステータ２９と、大気用軸受３３と、内側ロータ３０と、検出器であるレゾルバ（３４ａ、３４ｂ、３５，３６）が、ダイレクトドライブモータＤＤの軸線方向において互いに少なくとも一部が重合する位置に配置されているので、ダイレクトドライブモータＤＤの軸線方向長を小さく抑えることができる。
【００４０】
図３は、ダイレクトドライブモータＤＤの駆動回路を示すブロック図である。外部のコンピュータからモータ回転指令が入力されたとき、ダイレクトドライブモータＤＤ用のモータ制御回路ＤＭＣは、そのＣＰＵから３層アンプ（ＡＭＰ）に駆動信号を出力し、３層アンプ（ＡＭＰ）からダイレクトドライブモータＤＤに駆動電流が供給される。それによりダイレクトドライブモータＤＤの外側ロータ２１が独立して回転する。外側ロータ２１が回転すると、上述のようにして回転角度を検出したレゾルバステータ３５，３６からレゾルバ信号が出力されるので、それをレゾルバデジタル変換器（ＲＤＣ）でデジタル変換した後に入力したＣＰＵは、外側ロータ２１が指令位置に到達したか否かを判断し、指令位置に到達すれば、３層アンプ（ＡＭＰ）への駆動信号を停止することで外側ロータ２１の回転を停止させる。これにより外側ロータ２１のサーボ制御が可能となる。
【００４１】
本実施の形態では、回転軸の１回転の絶対位置を検出するアブソリュートレゾルバステータ３６と、より分解能の細かい回転位置を検出するインクリメンタルレゾルバステータ３５からなる可変リラクタンス型レゾルバを採用しているので、外側ロータ２１の回転位置制御を高精度に行える。
【００４２】
尚、ここでは内側ロータ３０の回転検出にレゾルバを採用したが、検出器を隔壁１３の内部の大気側に配置できるため、一般に高精度位置決めに使用するサーボモータにおいては高精度で滑らかに駆動するための位置検出手段として採用されている光学式エンコーダや、磁気抵抗素子を使用した磁気式エンコーダ等も使用できる。
【００４３】
以上の実施の形態では、表面磁石型の３２極３６スロットアウターロータ式ブラシレスモータを用いた例を用いて説明したが、この形式のモータに限定されるものではなく、ブラシレスモータであれば適用できるものであり、他の磁極形式、例えば永久磁石埋め込み型であっても良いし、他のスロットコンビネーションでも良いし、あるいはインナロータ型であっても良い。
【００４４】
また、ダイレクトドライブモータＤＤを同軸に積層して用いる場合、各軸の干渉対策として、軸方向に隣接する軸同士の回転子の極数およびスロット数が異なる構成としても良い。例えば、２軸同軸の場合は、第一軸が３２極３６スロット、第二軸が２４極２７スロット、４軸同軸の場合は、第一軸および第三軸が３２極３６スロット、第二軸および第四軸が２４極２７スロットといった構成にすれば、各軸の磁界による回転子および磁気カップリング装置への回転方向の推力発生といった相互干渉を防ぐことができる。
【００４５】
また、ロータの永久磁石は、ネオジウム（Ｎｄ−Ｆｅ−Ｂ）系磁石を用い、耐食性を高めるためのコーティングとして、ニッケルコーティングを施した例を用いて説明したが、この材質、表面処理に限定されるものではなく、使用される環境などによって適宜変更されるものであり、例えばべークアウト時の温度条件によっては高温減磁しにくいサマリウム・コバルト（Ｓｍ・Ｃｏ）系の磁石を用いるべきであり、超真空中で使用されるのであればアウトガス遮断性の高い窒化チタンコーティングを施すべきである。
【００４６】
また、ヨークは、低炭素鋼を材料とし、ニッケルめっきを施した例を用いて説明したが、この材質、表面処理に限定されるものではなく、使用される環境などによって適宜変更されるものであり、特に表面処理に関しては、超真空中で使用されるのであればピンホールの少ないカニゼンめっきやクリーンエスめっき、窒化チタンコーティング等を施すべきである。
【００４７】
また、永久磁石をヨークに締結する方法は、非磁性のくさびをヨーク外径側からねじで締め上げる例を用いて説明したが、使用される環境などによって適宜変更されるものであり、環境によっては接着でも良いし、他の締結方法でも良い。
【００４８】
また、軸受１９は真空用グリス潤滑の多点接触玉軸受を用いた例を説明したが、この形式、材質、潤滑方法に限定されるものではなく、使用される環境、荷重条件、回転速度などによって適宜変更されるものであり、クロスローラ軸受であっても良いし、４軸同軸モータの場合、さらに機械的な剛性を高めるために、別な軸受で支持する構造としても良いし、高速回転する場合など、多点接触軸受を用いることができない場合は各軸の回転子を支持する軸受および別な軸受を深溝玉軸受やアンギュラ軸受として予圧をかける構造としても良いし、超真空中で使用される場合は、軌道輪に金や銀などの軟質金属をプレーティングしたような、ガス放出のない金属潤滑としたものを用いても良い。
【００４９】
また、磁気カップリングとして機能する内側ロータとして、永久磁石とカップリングヨークを用いた形式で説明したが、永久磁石とカップリングヨークの材質および形状はこれに限定されるものではない。例えば、レゾルバの質量と軸受の摩擦トルクによっては、外側ロータと同極数でなくても良いし、同幅でなくても良い。永久磁石を用いない突極でも良い。
【００５０】
また、角度検出器としてレゾルバを用いた例で説明したが、製造コストや分解能によって適宜変更されるものであり、例えば光学式のロータリエンコーダでも良い。
【００５１】
また、角度検出器の回転側を回転自在に支持する軸受３３として、グリス潤滑の４点接触玉軸受を用いた例を説明したが、この形式、潤滑方法に限定されるものではなく、設置スぺースや摩擦トルク、回転速度などによって適宜変更されるものであり、高速回転や摩擦トルクの低減など、多点接触軸受を用いることができない場合は、アンギュラ軸受や深溝玉軸受を各軸ごとに２個配置して、予圧をかける構造としても良い。
【００５２】
また、その他の隔壁の外、中に配置される構造部品および隔壁の材質、形状、製造方法は、製造コストや使用される環境、荷重条件、構成などによって適宜変更されるものである。
【００５３】
図４は、本実施の形態のダイレクトドライブモータを用いた応用例を示す図である。上述した実施の形態と同様の構成を有するダイレクトドライブモータＤＤ１は、不図示のチャンバ内の真空雰囲気中に配置され、外側ロータにテーブルＴを取り付けている。テーブルＴ上には、４本の棒Ｂが周方向に等間隔に植設されている。又、上述した実施の形態と同様の構成を有するダイレクトドライブモータＤＤ２は、同じ真空雰囲気中に配置され、外側ロータにアームＡを取り付けている。
【００５４】
アームＡは、先端に吸着部を有し、中央に穴のあいたＣＤやＤＶＤ、ウエハ等のディスクＤＣを吸着可能となっている。ダイレクトドライブモータＤＤ１が、図４に示す受け渡し位置に棒Ｂのいずれかを移動させるように外側ロータを回転させる。一方、ダイレクトドライブモータＤＤ２は、アームＡに吸着したディスクＤＣを、図４に示す受け渡し位置に移動させるように外側ロータを回転させる。受け渡し位置にアームＡが移動した後、吸着を解除することで、ディスクＤＣは穴に棒Ｂを挿通されるようにして、アームＡからテーブルＴへと受け渡されるようになっている。
【００５５】
図５は、本実施の形態のダイレクトドライブモータを用いた別な応用例を示す図である。上述した実施の形態と同様の構成を有するダイレクトドライブモータＤＤ３は、不図示のチャンバ内の真空雰囲気中に配置され、外側ロータにテーブルＴを取り付けている。テーブルＴ上には、半導体製造に用いるウエハＷが吸着保持されている。テーブルＴを所定回転位置へと移動させながら、真空中でウエハＷの処理を行うことができる。
【００５６】
以上、本発明を実施の形態を参照して説明してきたが、本発明は上記実施の形態に限定して解釈されるべきではなく、適宜変更・改良が可能であることはもちろんである。例えば、本実施の形態のダイレクトドライブモータは、真空雰囲気に限らず、大気外の雰囲気で使用することができる。例えば、半導体製造工程の場合、真空排気後に真空槽内部にエッチング用の反応性ガスが導入されることがあるが、本実施の形態のダイレクトドライブモータでは、隔壁により内部と外部とが遮蔽されているため、モータコイルや絶縁材等がエッチングされてしまうおそれもない。
【図面の簡単な説明】
【００５７】
【図１】本実施の形態にかかるダイレクトドライブモータの断面図である。。
【図２】レゾルバ制御回路の例を示す図である。
【図３】モータ制御回路の例を示す図である。
【図４】本実施の形態のダイレクトドライブモータを用いた応用例を示す図である。
【図５】本実施の形態のダイレクトドライブモータを用いた別な応用例を示す図である。
【符号の説明】
【００５８】
１０ ハウジング
１０ａ 円板
１０ｂ 円筒部
１０ｃ 中央開口
１０ｄ 取り付け部
１３ 隔壁
１３ａ フランジ底部
１３ｂ カップ状円筒部
１７ 軸受ホルダ
１８ ボルト
１９ 軸受
２１ ロータヨーク
２１ 外側ロータ
２２ 永久磁石
２３ 外側ロータ
２３ａ 円筒部
２３ｂ フランジ底部
２３ｃ 嵌合部
２５ カップリングヨーク
２６ カップリング磁石
２９ ステータ
３０ 内側ロータ
３３ 大気側軸受
３４ａ インクリメンタルレゾルバロータ
３４ｂ アブソリュートレゾルバロータ
３５ インクリメンタルレゾルバステータ
３６ アブソリュートレゾルバステータ
Ａ アーム
Ｂ 棒
ＤＣ ディスク
ＤＤ ダイレクトドライブモータ
ＤＤ１ ダイレクトドライブモータ
ＤＤ２ ダイレクトドライブモータ
ＤＤ３ ダイレクトドライブモータ
ＤＭＣ モータ制御回路
Ｇ 定盤
ＭＲ モータロータ
ＯＲ シール部材
Ｔ テーブル
Ｗ ウエハ
【図１】
2008167589.tif 000003
【図２】
2008167589.tif 000004
【図３】
2008167589.tif 000005
【図４】
2008167589.tif 000006
【図５】
2008167589.tif 000007